(57)【要約】【課題】Ｅ−ＵＴＲＡが適用されるシステムにおいて、上りリンクにおいて、周波数ホッピングを適用させること。【解決手段】ユーザ装置の割り当て単位としてリソースユニットが規定されるとともに、リソースユニットの時間領域の長さがスロットであり、周波数領域において、システム帯域内に複数のリソースユニットが配置されるとともに、かつ時間領域において、サブフレームにふたつのスロットが配置され、所定のユーザ装置に対して、サブフレームの１番目のスロットとサブフレームの２番目のスロットのそれぞれにおいて、互いに異なった周波数のリソースユニットにデータをマッピングする変調部と、マッピングしたデータを送信する送信部とを備える。【選択図】図５
2011188505.tif 000002
【特許請求の範囲】
【請求項１】
ユーザ装置の割り当て単位としてリソースユニットが規定されるとともに、リソースユニットの時間領域の長さがスロットであり、周波数領域において、システム帯域内に複数のリソースユニットが配置されるとともに、かつ時間領域において、サブフレームにふたつのスロットが配置され、所定のユーザ装置に対して、サブフレームの１番目のスロットとサブフレームの２番目のスロットのそれぞれにおいて、互いに異なった周波数のリソースユニットにデータをマッピングする変調部と、
前記変調部においてマッピングしたデータを送信する送信部と
を備え、
前記変調部では、ふたつのスロットのそれぞれに対して、周波数領域において連続した２つ以上のリソースユニットを含んだリソースユニットグループが、システム帯域内に２つ以上規定され、１番目のスロットにおいて前記所定のユーザ装置にマッピングすべきリソースユニットを含むリソースユニットグループと、２番目のスロットにおいて前記所定のユーザ装置にマッピングすべきリソースユニットを含むリソースユニットグループとは、一定数のリソースユニットグループ分の周波数だけ異なってマッピングがなされ、
前記変調部は、各リソースユニットブロックに含まれるリソースユニットに対し、各リソースユニットブロック内において、低周波数側から高周波数側へ向かって１から順に大きくなるような、該リソースユニットを識別するためのインデックスを付与しており、（リソースユニットブロックにおけるリソースユニットの最大インデックス）＋１−（１番目のスロットでのリソースユニットブロックにおいて前記所定のユーザ装置にマッピングしたリソースユニットのインデックス）に対応するリソースユニットを前記２番目のスロットでのリソースユニットブロックにおけるリソースユニットとして、前記所定のユーザ装置にマッピングすることを特徴とするユーザ装置。
【発明の詳細な説明】
【技術分野】
【０００１】
本発明は、無線通信システムに関し、特に基地局装置に関する。
【背景技術】
【０００２】
Ｗ−ＣＤＭＡやＨＳＤＰＡの後継となる通信方式、すなわちロングタームエボリューション（ＬＴＥ：  Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。
【０００５】
Ｅ−ＵＴＲＡにおける上りリンクのリファレンスシグナル（Ｒｅｆｅｒｅｎｃｅ  ｓｉｇｎａｌ）はパイロットチャネルのことを指し、同期、コヒーレント検波のためのチャネル推定、パワコン時の受信ＳＩＮＲ測定等に使用される。リファレンスシグナルは、受信側で既知の送信信号であり、周期的に各サブフレームに埋め込まれていて、基地局側で受信される。
【０００６】
Ｅ−ＵＴＲＡにおける上りリンクの無線アクセスに使用されるＳＣ−ＦＤＭＡについて、図１を参照して説明する。システムで使用可能な周波数帯域は、複数のリソースブロックに分割され、リソースブロックの各々は１以上のサブキャリアを含む。ユーザ装置（ＵＥ：  Ｕｓｅｒ  Ｅｑｕｉｐｍｅｎｔ）には１以上のリソースブロックが割り当てられる。周波数スケジューリングでは、ユーザ装置から報告される下りパイロットチャネルのリソースブロック毎の受信信号品質又はチャネル状態情報(CQI:  Channel  Quality  Indicator）に応じて、チャネル状態の良好な端末に優先的にリソースブロックを割り当てることにより、システム全体の伝送効率又はスループットを向上させる。また、使用可能な周波数ブロックを所定の周波数ホッピングパターンに従って変更する周波数ホッピングも適用されることが検討されている。
【０００７】
図１において、異なるハッチングは異なるユーザ装置に割り当てられる時間・周波数リソースを示す。ＵＥ２は、広めの帯域が割り当てられていたが、次のサブフレームでは狭い帯域が割り当てられる。各ユーザ装置は、重複しないように異なる周波数帯域が割り当てられる。
【０００８】
ＳＣ−ＦＤＭＡでは、セル内の各ユーザ装置は、異なる時間・周波数リソースを用いて送信する。このようにして、セル内のユーザ装置間の直交が実現される。この時間・周波数リソースの最小の単位をリソースユニット（ＲＵ：  Ｒｅｓｏｕｒｃｅ  Ｕｎｉｔ）と呼ぶ。ＳＣ−ＦＤＭＡでは、連続する周波数を割り当てることにより、低ＰＡＰＲ（ｐｅａｋ−ｔｏ−ａｖｅｒａｇｅ  ｐｏｗｅｒ  ｒａｔｉｏ）のシングルキャリア伝送が実現される。ＳＣ−ＦＤＭＡでは、割り当てる時間・周波数リソースは、基地局装置のスケジューラが、各ユーザ装置の伝搬状況、送るべきデータのＱｏＳ（Ｑｕａｌｉｔｙ  ｏｆ  Ｓｅｒｖｉｃｅ）に基づいて決定する。ここで、ＱｏＳにはデータレート、所要の誤り率、遅延が含まれる。このように、伝搬状況のよい時間・周波数リソースを各ユーザ装置に割り当てることによりスループットを増大できる。
【０００９】
各基地局装置は、割り当てる時間・周波数リソースを個々に行っているため、あるセルで割り当てられた帯域が、隣のセルで割り当てられる帯域の一部と重なる場合が生じる。このように、隣のセルで割り当てられる帯域の一部が重なる場合には、干渉が生じ互いに劣化する。
【先行技術文献】
【非特許文献】
【００１０】
【非特許文献１】3GPP  TR  25.814  (V7.0.0),  "Physical  Layer  Aspects  for  Evolved  UTRA,"  June  2006
【発明の概要】
【発明が解決しようとする課題】
【００１１】
上述したように、Ｅ−ＵＴＲＡにおける上りリンクの無線アクセスでは、周波数ホッピングを適用することが検討されている。
【００１２】
しかしながら、周波数ホッピングが適用される場合の周波数ホッピングパターンや、ホッピングを行う場合に、使用するリソースユニットを通知するシグナリングについては検討されていない。
【００１３】
そこで、本発明は、上述した課題に鑑み、その目的は、Ｅ−ＵＴＲＡが適用されるシステムにおいて、上りリンクにおいて、周波数ホッピングを適用させることができる基地局装置を提供することにある。
【課題を解決するための手段】
【００１４】
本ユーザ装置は、
ユーザ装置の割り当て単位としてリソースユニットが規定されるとともに、リソースユニットの時間領域の長さがスロットであり、周波数領域において、システム帯域内に複数のリソースユニットが配置されるとともに、かつ時間領域において、サブフレームにふたつのスロットが配置され、所定のユーザ装置に対して、サブフレームの１番目のスロットとサブフレームの２番目のスロットのそれぞれにおいて、互いに異なった周波数のリソースユニットにデータをマッピングする変調部と、
前記変調部においてマッピングしたデータを送信する送信部と
を備え、
前記変調部では、ふたつのスロットのそれぞれに対して、周波数領域において連続した２つ以上のリソースユニットを含んだリソースユニットグループが、システム帯域内に２つ以上規定され、１番目のスロットにおいて前記所定のユーザ装置にマッピングすべきリソースユニットを含むリソースユニットグループと、２番目のスロットにおいて前記所定のユーザ装置にマッピングすべきリソースユニットを含むリソースユニットグループとは、一定数のリソースユニットグループ分の周波数だけ異なってマッピングがなされ、
前記変調部は、各リソースユニットブロックに含まれるリソースユニットに対し、各リソースユニットブロック内において、低周波数側から高周波数側へ向かって１から順に大きくなるような、該リソースユニットを識別するためのインデックスを付与しており、（リソースユニットブロックにおけるリソースユニットの最大インデックス）＋１−（１番目のスロットでのリソースユニットブロックにおいて前記所定のユーザ装置にマッピングしたリソースユニットのインデックス）に対応するリソースユニットを前記２番目のスロットでのリソースユニットブロックにおけるリソースユニットとして、前記所定のユーザ装置にマッピングする。
【発明の効果】
【００１５】
本発明の実施例によれば、Ｅ−ＵＴＲＡが適用されるシステムにおいて、上りリンクにおいて、周波数ホッピングを適用させることができる基地局装置を実現することができる。
【図面の簡単な説明】
【００１６】
【図１】シングルキャリア−ＦＤＭＡを示す説明図である。
【図２】本発明の一実施例に係る無線通信システムを示すブロック図である。
【図３】上り制御チャネルのマッピングの一例を示す説明図である。
【図４】本発明の一実施例に係る周波数ホッピングが適用されるユーザ装置に対するリソースユニットの割り当ての一例を示す説明図である。
【図５】本発明の一実施例に係る基地局装置を示す部分ブロック図である。
【図６】本発明の一実施例に係るユーザ装置を示す部分ブロック図である。
【図７】本発明の一実施例に係る周波数ホッピングが適用されるユーザ装置に対するリソースユニットの割り当ての一例を示す説明図である。
【図８】本発明の一実施例に係る周波数ホッピングが適用されるユーザ装置に対するリソースユニットの割り当ての一例を示す説明図である。
【図９】本発明の一実施例に係る周波数ホッピングが適用されるユーザ装置に対するリソースユニットの割り当ての一例を示す説明図である。
【図１０】本発明の一実施例に係る周波数ホッピングが適用されるユーザ装置に対するリソースユニットの割り当ての一例を示す説明図である。
【図１１】本発明の一実施例に係る基地局装置を示す部分ブロック図である。
【図１２】本発明の一実施例に係るユーザ装置を示す部分ブロック図である。
【図１３】本発明の一実施例に係る周波数ホッピングが適用されるユーザ装置に対するリソースユニットの割り当ての一例を示す説明図である。
【図１４】本発明の一実施例に係る周波数ホッピングが適用されるユーザ装置に対するリソースユニットの割り当ての一例を示す説明図である。
【発明を実施するための形態】
【００１７】
以下、本発明の実施例を、図面を参照しつつ説明する。実施例を説明するための全図において、同一機能を有するものは同一符号を用い、繰り返しの説明は省略する。
【００１８】
図２を参照しながら、本発明の実施例に係るユーザ装置及び基地局装置を有する無線通信システムについて説明する。ユーザ装置は移動局装置とも呼ばれる。
【００１９】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００ｍ（２００１、２００２、２００３、・・・、２００ｍ、ｍはｍ＞０の整数）と、基地局装置２００ｍと通信する複数のユーザ装置１００ｎ（１００１、１００２、１００３、・・・１００ｎ、ｎはｎ＞０の整数）とを備える。基地局装置２００ｍは、上位局、例えばアクセスゲートウェイ装置３００と接続され、アクセスゲートウェイ装置３００は、コアネットワーク４００と接続される。ユーザ装置１００ｎはセル５０ｋ（５０１、５０２、・・・、５０ｋ、ｋはｋ＞０の整数）のいずれかにおいて基地局装置２００ｍとＥｖｏｌｖｅｄ  ＵＴＲＡ  ａｎｄ  ＵＴＲＡＮにより通信を行う。
【００２０】
ここで、ユーザ装置１００ｎには、基地局装置２００ｍのいずれかと通信チャネルを確立し、通信状態にあるものと、基地局装置２００ｍのいずれとも通信チャネルを確立しておらず、無通信状態にあるものが混在するものとする。
【００２１】
基地局装置２００ｍは、同期信号を送信する。ユーザ装置１００ｎは、セル５０ｋ（５０１、５０２、５０３、・・・５０ｋ、ｋはｋ＞０の整数）のいずれかに位置し、電源立ち上げ時、あるいは、通信中の間欠受信時等において、該同期信号に基づいて、自ユーザ装置にとって無線品質が良好なセルを検出するセルサーチを行う。すなわち、ユーザ装置１００ｎは、同期信号を用いてシンボルタイミングとフレームタイミングとを検出し、かつ、セルID（セルIDから生成されるセル固有のスクランブルコード）またはセルＩＤの集合（セルＩＤグループと呼ぶ）などのセル固有の制御情報の検出を行う。
【００２２】
ここで、セルサーチは、ユーザ装置１００ｎが通信状態にある場合と無通信状態にある場合の両方で行われる。例えば、通信状態におけるセルサーチとしては、同じ周波数のセルを検出するためのセルサーチや異なる周波数のセルを検出するためのセルサーチ等がある。また、無線通信状態におけるセルサーチとしては、例えば、電源立ち上げ時のセルサーチや待ち受け時のセルサーチ等がある。
【００２３】
以下、基地局装置２００ｍ（２００１、２００２、２００３、・・・２００ｍ）については、同一の構成、機能、状態を有するので、以下では特段の断りがない限り基地局装置２００ｍとして説明を進める。以下、ユーザ装置１００ｎ（１００１、１００２、１００３、・・・１００ｎ）については、同一の構成、機能、状態を有するので、以下では特段の断りがない限りユーザ装置１００ｎとして説明を進める。以下、セル５０ｋ（５０１、５０２、５０３、・・・５０ｋ）については、同一の構成、機能、状態を有するので、以下では特段の断りがない限りセル５０ｋとして説明を進める。
【００２４】
無線通信システム１０００は、無線アクセス方式として、下りリンクについてはＯＦＤＭ（直交周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数のユーザ装置間で異なる周波数帯域を用いて伝送することで、ユーザ装置間の干渉を低減することができる伝送方式である。
【００２５】
ここで、Ｅｖｏｌｖｅｄ  ＵＴＲＡ  ａｎｄ  ＵＴＲＡＮにおける通信チャネルについて説明する。
【００２６】
下りリンクについては、各ユーザ装置１００ｎで共有して使用される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の下り制御チャネルとが用いられる。下りリンクでは、ＬＴＥ用の下り制御チャネルにより、物理下りリンク共有チャネルにマッピングされるユーザ装置の情報やトランスポートフォーマットの情報、物理上りリンク共有チャネルにマッピングされるユーザ装置の情報やトランスポートフォーマットの情報、物理上りリンク共有チャネルの送達確認情報などが通知され、物理下りリンク共有チャネルによりユーザデータが伝送される。
【００２７】
また、下りリンクにおいて、基地局装置２００ｍは、ユーザ装置１００ｎがセルサーチを行うための同期信号を送信する。
【００２８】
上りリンクについては、各ユーザ装置１００ｎで共有して使用される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の上り制御チャネルとが用いられる。尚、上り制御チャネルには、物理上りリンク共有チャネルと時間多重されるチャネルと、周波数多重されるチャネルの２種類がある。上りリンクでは、ＬＴＥ用の上り制御チャネルにより、下りリンクにおける物理共有チャネルのスケジューリング、適応変復調・符号化（ＡＭＣ：  Ａｄａｐｔｉｖｅ  Ｍｏｄｕｌａｔｉｏｎ  ａｎｄ  Ｃｏｄｉｎｇ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの物理共有チャネルの送達確認情報（ＨＡＲＱ  ＡＣＫ  ｉｎｆｏｒｍａｔｉｏｎ）が伝送される。上りリンクチャネルは、物理上りリンク共有チャネルとＬＴＥ用の上りリンク制御チャネルとを指す。尚、ＬＴＥ用の上りリンク制御チャネルには、物理上りリンク共有チャネルと時間多重されるチャネルと、周波数多重されるチャネルの２種類がある。図３に、ＬＴＥ用の上りリンク制御チャネルのマッピングを示す。
【００２９】
尚、図３において、周波数多重されている上りリンク制御チャネルは、サブフレーム内の２つのサブフレーム間で、マッピングされる位置が異なる（周波数ホッピングが行われる）。図３において、５００は物理上りリンク共有チャネルを示し、５１０は物理上りリンク共有チャネルと周波数多重される場合を示し、５２０は物理上りリンク共有チャネルと時間多重される場合を示す。
【００３０】
上りリンクでは、ＬＴＥ用の上りリンク制御チャネルにより、下りリンクにおける共有チャネルのスケジューリング、適応変復調・符号化（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの物理下りリンク共有チャネルの送達確認情報（ＨＡＲＱ  ＡＣＫ  ｉｎｆｏｒｍａｔｉｏｎ）が伝送される。また、物理上りリンク共有チャネルによりユーザデータが伝送される。
【００３１】
尚、物理上りリンク共有チャネルにマッピングされるトランスポートチャネルは上りリンク共有チャネル（ＵＬ−ＳＣＨ：  Ｕｐｌｉｎｋ  Ｓｈａｒｅｄ  Ｃｈａｎｎｅｌ）である。すなわち、ユーザデータは、ＵＬ−ＳＣＨにマッピングされる。
【００３２】
物理上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステントスケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置がユーザ装置に通知することを意味する。
【００３３】
本実施例に係る無線通信システムでは、上りリンクにおいて周波数ホッピングが適用される。周波数ホッピングでは、使用可能な周波数ブロックが所定の周波数ホッピングパターンに従って変更される。
【００３４】
図４に示すように、ユーザ装置１００ｎには、上りリンクにおいて周波数ホッピングが適用される場合には、１リソースユニット(RU:  Resource  Unit)を単位として割り当てられる。図４において、横軸は周波数、縦軸は時間を示す。例えば、１リソースユニットの帯域幅は１８０ｋＨｚであり、１スロット長は、０．５ｍｓｅｃである。１サブフレームには、２スロットが含まれる。
【００３５】
例えば、周波数ホッピングが適用されるユーザ装置は、システム帯域の両端の周波数帯域が割り当てられる。このようにすることにより、周波数ホッピングが適用されるユーザ装置の間の周波数ダイバーシチ効果を大きくできる。また、システム帯域の両端の周波数帯域以外の周波数帯域には、ローカライズドＦＤＭＡが適用されるユーザ装置に割り当てられるが、このローカライズドＦＤＭＡが適用されるユーザ装置にとって、シングルキャリア伝送との整合性を高くできる。
【００３６】
本実施例に係る基地局装置２００では、ユーザ装置の伝搬情報及びトラヒックタイプに基づいて、当該ユーザ装置に対して周波数ホッピングを適用するか否かが決定される。ユーザ装置の伝搬情報には、該ユーザ装置の移動速度が含まれる。例えば、周波数ホッピングを適用することにより、周波数ダイバーシチの効果を期待できるユーザ装置に対しては、周波数ホッピングを適用すると判断する。具体的には、高速で移動するユーザ装置、音声パケット（ＶｏＩＰ）のように周期的に小さなサイズのデータを送信するユーザ装置に対して、周波数ホッピングを適用すると判断する。周波数ホッピングが適用されるユーザ装置に対して、周波数ホッピングを適用して上りリンクの信号を送信することが通知される。
【００３７】
基地局装置２００は、周波数ホッピングを適用すると判断されたユーザ装置に対しては、スケジューリング処理において、１リソースユニットを単位として、１サブフレームにおいては、各スロットで、異なる帯域のリソースユニットが割り当てられる。すなわち、各サブフレームにおいて、時間方向で、前半のリソースユニット（前半のスロット）と後半のリソースユニット（後半のスロット）ではその帯域が異なる。
【００３８】
また、スケジューリングの結果、決定されたリソースユニットの情報は、アップリンク  スケジューリング  グラント（Uplink  Scheduling  Grant）で通知される。例えば、各サブフレームにおいて、前半のリソースユニットと、該前半のリソースユニットに対する周波数方向におけるシフト量が通知される。
【００３９】
次に、本実施例に係る基地局装置２００ｍについて、図５を参照して説明する。
【００４０】
本実施例に係る基地局装置２００ｍは、ＯＦＤＭ信号生成部２０２と、上り割り当て許可信号送信用制御信号生成部２０４と、復調用ＲＳ生成部２０６と、同期検出・チャネル推定部２０８と、チャネル復号部２１０と、コヒーレント検波部２１２と、各ユーザの上りリンクチャネル状態推定部２１４と、スケジューラ２１６と、周波数ホッピング決定部２１８とを備える。ＯＦＤＭ信号生成部２０２及び上り割り当て許可信号送信用制御信号生成部２０４は送信部を構成し、復調用ＲＳ生成部２０６、同期検出・チャネル推定部２０８、チャネル復号部２１０、コヒーレント検波部２１２、各ユーザの上りリンクチャネル状態推定部２１４、スケジューラ２１６及び周波数ホッピング決定部２１８は受信部を構成する。
【００４１】
ユーザ装置１００ｎから送信された上りリンクのチャネルは、同期検出・チャネル推定部２０８、コヒーレント検波部２１２及び各ユーザの上りリンクチャネル状態推定部２１４に入力される。
【００４２】
同期検出・チャネル推定部２０８は、入力された受信信号の同期検出を行い、受信タイミングを推定し、後述する復調用ＲＳ生成部２０６により入力された復調用ＲＳ（Ｄｅｍｏｄｕｌａｔｉｏｎ  Ｒｅｆｅｒｅｎｃｅ  ｓｉｇｎａｌ）に基づいて、チャネル推定を行い、その結果をコヒーレント検波部２１２に入力する。
【００４３】
コヒーレント検波部２１２は、チャネル推定結果及び後述するスケジューラ２１６により入力された割り当てた周波数と帯域幅に基づいて、受信信号に対しコヒーレント検波を行い、復調後の受信信号をチャネル復号部２１０に入力する。チャネル復号部２１０は、入力された復調後の受信信号を復号し、スケジューラ２１６により入力される割り当てたユーザ番号に対応する再生データ信号を生成する。生成された再生データ信号はネットワークに送信される。
【００４４】
また、各ユーザの上りリンクチャネル状態推定部２１４は、入力された受信信号に基づいて、チャネル状態を推定し、各ユーザ装置の上りリンクチャネル状態推定結果をスケジューラ２１６に入力する。
【００４５】
周波数ホッピング決定部２１８には、各ユーザ装置の伝搬情報及びトラフィックタイプが入力される。周波数ホッピング決定部２２６は、入力された各ユーザ装置の伝搬情報及びトラフィックタイプに基づいて、当該ユーザ装置１００ｎに周波数ホッピングを適用するか否かを判断する。例えば、ユーザ装置の伝搬情報、具体的には、ユーザ装置の移動速度が所定の閾値以上である場合及び／又はトラヒックタイプが音声パケット（ＶｏＩＰ）のように周期的に送信される小さなサイズのデータである場合には、周波数ホッピングを適用することを決定する。一方、ユーザ装置の移動速度が所定の閾値未満及びトラヒックタイプが音声パケット（ＶｏＩＰ）のように周期的に送信される小さなサイズのデータ以外である場合には、周波数ホッピングを適用しないことを決定する。周波数ホッピング決定部２２６は、周波数ホッピングを適用することを決定した場合、当該ユーザ装置に対して周波数ホッピングを適用することをスケジューラ２１６及び上り割り当て許可信号送信用制御信号生成部２０４に通知する。
【００４６】
スケジューラ２１６は、入力された各ユーザ装置の上りリンクチャネル状態推定結果及び各ユーザ装置のＱｏＳ、例えば要求データレート、バッファ状態、所要誤り率、遅延などに基づいて、例えば周波数スケジューリングを行い、割り当てた周波数と帯域幅を上り割り当て許可信号送信用制御信号生成部２０４及びコヒーレント検波部２１２に入力し、割り当てたユーザ番号を上り割り当て許可信号送信用制御信号生成部２０４及びチャネル復号部２１０に入力する。ここで、スケジューリングとは、所定のサブフレームにおいて共有チャネルを用いてパケットデータの送信を行うユーザ装置を選別する処理である。その後、スケジューリングにおいて選別されたユーザ装置が送信するパケットデータに関する変調方式や符号化率、データサイズを決定する処理が行われる。変調方式、符号化率、データサイズの決定は、例えば、ユーザ装置から上りリンクにおいて送信されるサウンディング用リファレンス信号のＳＩＲに基づいて行われる。さらに、スケジューリングにおいて選別されたユーザ装置が送信するパケットデータの送信に用いられるリソースユニットを決定する。リソースユニットの決定は、例えば、ユーザ装置から上りリンクにおいて送信するサウンディング用リファレンス信号のＳＩＲに基づいて行われる。
【００４７】
そして、上り割り当て許可信号送信用制御信号生成部２０４において、上述したスケジューリング処理、伝送フォーマットの選択処理、周波数リソースの割り当て処理により決定される、物理上りリンク共有チャネルを用いて通信を行うユーザ（ユーザ装置）のＩＤや、そのユーザデータのトランスポートフォーマットの情報、すなわち、データサイズ、変調方式に関する情報や、上りリンクのリソースユニットの割り当て情報、上りリンクの共有チャネルの送信電力に関する情報等が含まれる、ＵＬ  Ｓｃｈｅｄｕｌｉｎｇ  Ｇｒａｎｔが生成される。ここで、上りリンクのリソースユニットとは、周波数リソースに相当し、リソースブロックとも呼ばれる。
【００４８】
また、スケジューラ２１６は、周波数ホッピング決定部２１８により、周波数ホッピングを適用することを通知された場合、当該ユーザ装置に対しては、１リソースユニットを単位として、１サブフレームにおいては、スロット毎に異なる帯域のリソースユニットが割り当てられる。
【００４９】
この周波数ホッピングが適用されるユーザ装置に対しては、上り割り当て許可信号送信用制御信号生成部２０４は、当該ユーザ装置に対し、周波数ホッピングが適用されることを通知する。この通知は、アップリンク  スケジューリング  グラントによりしてもよいし、上位レイヤの制御信号で通知するようにしてもよい。アップリンク  スケジューリング  グラントは、サブフレーム毎に通知されるので、上位レイヤにより通知するよりも高速に周波数ホッピングに切り替えることができる。
【００５０】
また、上り割り当て許可信号送信用制御信号生成部２０４は、周波数ホッピングが適用される場合には、各サブフレームにおいて、前半のリソースユニットと、該前半のリソースユニットに対する周波数方向におけるシフト量の情報が含まれる、アップリンク  スケジューリング  グラントを生成する。例えば、周波数方向の一方から、リソースユニットに対してインデックスが付された場合、各サブフレームにおいて、前半のリソースユニットのインデックスと、該前半のリソースユニットに対するインデックスのシフト量の情報が含まれる、アップリンク  スケジューリング  グラントを生成する。ユーザ装置１００ｎは、前半のリソースユニットに対する周波数方向におけるシフト量により、後半のスロットにおけるリソースユニットを特定する。
【００５１】
復調用ＲＳ生成部２０６は、復調用ＲＳを生成し、同期検出・チャネル推定部２０８に入力する。
【００５２】
上り割り当て許可信号送信用制御信号生成部２０８は、入力された割り当てた周波数と帯域幅及び割り当てユーザ番号を含む制御信号（上り割り当て許可信号送信用制御信号）を生成し、ＯＦＤＭ信号生成部２０４に入力する。この制御信号には、例えばアップリンク  スケジューリング  グラントが含まれる。
【００５３】
ＯＦＤＭ信号生成部２０４は、該制御信号を含むＯＦＤＭ信号を生成し送信無線機に入力する。その結果、下りリンクの制御チャネルによりスケジューリングの対象となるユーザ装置に通知される。
【００５４】
ＯＦＤＭ信号生成部２０２は、上述した制御チャネル以外に、他の下りリンクチャネル、例えば下りリファレンスシグナル、データチャネル、ページングチャネルなどを含むＯＦＤＭ信号を生成し送信無線機に入力する。その結果、下りリンクチャネルがユーザ装置に送信される。
【００５５】
次に、本実施例に係るユーザ装置１００ｎについて、図６を参照して説明する。
【００５６】
本実施例に係るユーザ装置１００ｎは、ＯＦＤＭ信号復調部１０２と、上り割り当て許可信号復調・復号部１０４と、その他の制御信号、データ信号の復調・復号部１０６と、復調用ＲＳ生成部１０８と、チャネル符号化部１１０と、データ変調部１１２と、ＳＣ−ＦＤＭＡ変調部１１４とを備える。ＯＦＤＭ信号復調部１０２、上り割り当て許可信号復調・復号部１０４及びその他の制御信号、データ信号の復調・復号部１０６は受信部を構成し、復調用ＲＳ生成部１０８、チャネル符号化部１１０、データ変調部１１２及びＳＣ−ＦＤＭＡ変調部１１４は送信部を構成する。
【００５７】
ユーザ装置１００ｎは、上り割り当て許可信号の復号結果において、割り当てユーザ番号が自ユーザ装置１００ｎを指示した場合のみ送信信号の生成及び送信を行う。
【００５８】
基地局装置２００ｍからの受信信号は、ＯＦＤＭ信号復調部１０２に入力され、復調処理が行われ、上り割り当て許可信号送信用制御信号は上り割り当て許可信号復調・復号部１０４に入力され、上り割り当て許可信号送信用制御信号以外の制御信号、データ信号は、その他の制御信号、データ信号の復調・復号部１０６に入力される。
【００５９】
上り割り当て許可信号復調・復号部１０４は、入力された上り割り当て許可信号の復調・復号処理を行い、基地局装置２００から、周波数ホッピングを適用することが通知された場合には、その周波数ホッピング適用通知をＳＣ−ＦＤＭＡ変調部１１４に入力する。また、上り割り当て許可信号復調・復号部１０４は、割り当てられたリソースユニットを示す情報をＳＣ−ＦＤＭＡ変調部１１４に入力する。例えば、上り割り当て許可信号復調・復号部１０４は、各サブフレームにおいて、前半のスロットと、該前半のスロットに対する周波数方向におけるシフト量の情報をＳＣ−ＦＤＭＡ変調部１１４に入力する。
【００６０】
復調用ＲＳ生成部１０８は、復調用ＲＳを生成し、ＳＣ−ＦＤＭＡ変調部１１４に入力する。
【００６１】
一方、ユーザデータは、チャネル符号化部１１０においてチャネル符号化が行われ、データ変調部１１２においてデータ変調が行われ、ＳＣ−ＦＤＭＡ変調部１１４に入力される。
【００６２】
ＳＣ−ＦＤＭＡ変調部（ＤＦＴ−ｓｐｒｅａｄ  ＯＦＤＭ）１１４は、入力された復調用ＲＳ、変調されたユーザデータを割り当てられたリソースユニットに基づいて変調し、送信信号を出力する。例えば、ＳＣ−ＦＤＭＡ変調部（ＤＦＴ−ｓｐｒｅａｄ  ＯＦＤＭ）１１４は、各サブフレームにおいて、前半のスロットと、該前半のスロットに対する周波数方向におけるシフト量の情報に基づいて、前半のスロットに対する周波数方向におけるシフト量から、後半のスロットにおけるリソースユニットを特定する。その結果、周波数ホッピングを適用すると判断されたユーザ装置は、１リソースユニットを単位として、１サブフレームにおいては、スロット毎に異なる帯域のリソースユニットによりデータ送信を行う。
【００６３】
次に、本発明の他の実施例に係る基地局装置及びユーザ装置が適用される無線通信システムについて説明する。
【００６４】
本実施例に係る無線通信システム、基地局装置及びユーザ装置の構成は、図２、図５及び図６を参照して説明した構成と同様である。
【００６５】
本実施例では、上述した実施例と同様に、基地局装置２００は、周波数ホッピングを適用すると判断されたユーザ装置に対しては、スケジューリング処理において、１リソースユニットを単位として、１サブフレームにおいては、スロット毎に異なる帯域のリソースユニットを割り当てる。この場合、本実施例では、各サブフレームにおいて、時間方向における前半のリソースユニットに対する後半のリソースユニットの周波数方向のシフト量が予め決定されている。例えば、周波数方向の一方から、リソースユニットに対してインデックスが付された場合、シフト量はリソースユニットのインデックス（番号）のシフト量により指定される。具体的には、シフト量として＋２１が指定された場合には、図７に示すように、前半のリソースユニット番号に対して２１だけ加算されたリソースユニットが後半のリソースユニットなる。このシフト量は、ユーザ装置のサポートできる周波数帯域と対応させて予め仕様化しておくようにしてもよいし、上位レイヤで通知するようにしてもよい。このように構成することにより、サブフレーム毎に、一定の周波数だけ離れた周波数で送信されるため、一定の周波数ダイバーシチ効果を得ることができる。
【００６６】
また、スケジューリングの結果、決定されたリソースユニットの情報は、アップリンク  スケジューリング  グラント（Uplink  Scheduling  Grant）で通知される。シフト量は、予め決定されているか、上位レイヤにより通知されているので、各サブフレームにおいて、前半のリソースユニットのインデックスが通知される。
【００６７】
具体的には、スケジューラ２１６は、周波数ホッピング決定部２２６により、周波数ホッピングを適用することを通知された場合、当該ユーザ装置に対しては、前半のリソースユニットを割り当てるスケジューリングが行われる。この場合、上りリンクでは、ＳＣ−ＦＤＭＡが適用されるので、連続するリソースユニットを割り当てる場合には、後半のスロットにおいて、割り当てられるリソースユニットが不連続にならないように、前半のリソースユニットが割り当てられる。言い換えれば、連続するリソースユニットが割り当てられる。
【００６８】
この周波数ホッピングが適用されるユーザ装置に対しては、上り割り当て許可信号送信用制御信号生成部２０４は、各サブフレームにおいて、前半のリソースユニットの情報、具体的には前半のリソースユニットのインデックスが含まれる、アップリンク  スケジューリング  グラントを生成する。
【００６９】
次に、本発明の他の実施例に係る基地局装置及びユーザ装置が適用される無線通信システムについて説明する。
【００７０】
本実施例に係る無線通信システム、基地局装置及びユーザ装置の構成は、図２、図５及び図６を参照して説明した構成と同様である。
【００７１】
本実施例では、上述した実施例と同様に、基地局装置２００は、周波数ホッピングを適用すると判断されたユーザ装置に対しては、スケジューリング処理において、１リソースユニットを単位として、１サブフレームにおいては、スロット毎に異なる帯域のリソースユニットを割り当てる。この場合、本実施例では、各サブフレームにおいて、前半のリソースユニットと後半のリソースユニットとの対応が予め決定される。例えば、周波数方向の一方から、リソースユニットに対してインデックスが付された場合、図８に示すように、前半のリソースユニットのインデックスがｋ（ｋは、０≦ｋの整数）である場合、後半のリソースユニットは、（リソースユニットの最大インデックス）−ｋにより表される。この対応は、予め仕様化しておくようにしてもよいし、上位レイヤで通知するようにしてもよい。このように構成することにより、後半のスロットにおいて、割り当てられるリソースユニットが不連続になることがないため、シングルキャリアの特性を特別な制御を行うことなく維持できる。
【００７２】
また、スケジューリングの結果、決定されたリソースユニットの情報は、アップリンク  スケジューリング  グラント（Uplink  Scheduling  Grant）で通知される。前半のリソースユニットと後半のリソースユニットとの対応は、予め決定されているか、上位レイヤにより通知されているので、各サブフレームにおいて、前半のリソースユニットの情報、具体的には前半のリソースユニットのインデックスが通知される。
【００７３】
具体的には、スケジューラ２１６は、周波数ホッピング決定部２１８により、周波数ホッピングを適用することが通知された場合、当該ユーザ装置に対しては、前半のリソースユニットを割り当てるスケジューリングが行われる。
【００７４】
この周波数ホッピングが適用されるユーザ装置に対しては、上り割り当て許可信号送信用制御信号生成部２０４は、各サブフレームにおいて、前半のリソースユニットの情報、具体的には前半のリソースユニットのインデックスが含まれる、アップリンク  スケジューリング  グラントを生成する。
【００７５】
次に、本発明の他の実施例に係る基地局装置及びユーザ装置が適用される無線通信システムについて説明する。
【００７６】
本実施例に係る無線通信システム、基地局装置及びユーザ装置の構成は、図２、図５及び図６を参照して説明した構成と同様である。
【００７７】
本実施例では、リソースユニットグループ(RUG:  Resource  Unit  Group)が定義される。リソースユニットグループには連続する複数のリソースユニットが含まれる。
【００７８】
本実施例では、上述した実施例と同様に、基地局装置２００は、周波数ホッピングを適用すると判断されたユーザ装置に対しては、スケジューリング処理において、１リソースユニットを単位として、１サブフレームにおいては、スロット毎に異なる帯域のリソースユニットを割り当てる。この場合、本実施例では、各サブフレームにおいて、時間方向における前半のリソースユニットグループに対する後半のリソースユニットグループの周波数方向のシフト量が予め決定されている。例えば、周波数方向の一方から、リソースユニットグループに対してインデックスが付された場合、シフト量はリソースユニットグループのインデックス（番号）のシフト量により指定される。具体的には、シフト量として＋５が指定された場合には、図９に示すように、前半のリソースユニットグループ＃１に対して５だけ加算されたリソースユニットグループ＃６が後半のリソースユニットグループとなる。
【００７９】
さらに、前半のリソースユニットグループに含まれるリソースユニットと後半のリソースユニットグループに含まれるリソースユニットとの対応が予め決定される。例えば、リソースユニットグループ毎に、周波数方向の一方から、リソースユニットに対してインデックスが付された場合、具体的には、図１０に示すように、前半のリソースユニットグループにおけるリソースユニットのインデックスをｉ（ｉは、０＜ｉの整数であり、ｉ≦リソースユニットグループに含まれるリソースユニット数）とした場合、後半のリソースユニットは、（後半のリソースユニットグループにおけるリソースユニットのインデックスの最大値）＋１−ｉにより表される。この対応は、予め仕様化しておくようにしてもよいし、上位レイヤで通知するようにしてもよい。このように構成することにより、一定の周波数だけ離れたリソースユニットグループに含まれる周波数で送信されるため、一定の周波数ダイバーシチ効果を得ることができるとともに、後半のスロットにおいて、割り当てられるリソースユニットが不連続になることがないため、シングルキャリアの特性を特別な制御を行うことなく維持できる。
【００８０】
また、スケジューリングの結果、決定されたリソースユニットの情報、具体的にはリソースユニットのインデックスは、アップリンク  スケジューリング  グラント（Uplink  Scheduling  Grant）で通知される。前半のリソースユニットグループと後半のリソースユニットグループとの対応及び前半のリソースユニットグループに含まれるリソースユニットと後半のリソースユニットグループに含まれるリソースユニットとの対応は、予め決定されているか、上位レイヤにより通知されているので、各サブフレームにおいて、前半のリソースユニットグループの情報と、該リソースユニットグループにおけるリソースユニットの情報が通知される。具体的には、前半のリソースユニットグループのインデックスと、該リソースユニットグループにおけるリソースユニットのインデックスが通知される。
【００８１】
スケジューラ２１６は、周波数ホッピング決定部２２６により、周波数ホッピングを適用することを通知された場合、当該ユーザ装置に対しては、前半のリソースユニットを割り当てるスケジューリングが行われる。
【００８２】
この周波数ホッピングが適用されるユーザ装置に対しては、上り割り当て許可信号送信用制御信号生成部２０４は、各サブフレームにおいて、割り当てる前半のリソースユニットが含まれる前半のリソースユニットグループのインデックスと、該リソースユニットグループにおける割り当てる前半のリソースユニットのインデックスの情報が含まれる、アップリンク  スケジューリング  グラントを生成する。
【００８３】
次に、本発明の他の実施例に係る基地局装置及びユーザ装置が適用される無線通信システムについて説明する。
【００８４】
本実施例に係る無線通信システムの構成は、図２を参照して説明した構成と同様である。
【００８５】
本実施例に係る基地局装置２００は、図１１に示すように、図５を参照して説明した基地局装置において、スケジューラ２１６及びＯＦＤＭ信号生成部２０２と接続された報知チャネル生成部２２０を備える点で異なる。
【００８６】
本実施例では、スケジューラ２１６は、スケジューリングにより、割り当てたリソースユニットの割り当て情報を、報知チャネル生成部２２０に入力する。
【００８７】
報知チャネル生成部２２０は、入力された割り当てたリソースユニットの割り当て情報を、物理下りリンク共有チャネルで送信される報知チャネルで送信する。この物理下りリンク共有チャネルで送信される報知チャネルは、ダイナミック報知チャネルとも呼ばれる。
【００８８】
このようにすることにより、周波数ホッピングを適用することを決定した場合、当該ユーザ装置に対して周波数ホッピングを適用することを１ビットのみで通知できる。この場合、ＵＬ  Ｓｃｈｅｄｕｌｉｎｇ  Ｇｒａｎｔには、周波数ホッピングを適用するかしないかを示す１ビットが含まれる。
【００８９】
本実施例に係るユーザ装置１００は、図１２に示すように、図６を参照して説明したユーザ装置において、ＯＦＤＭ信号復号部１０２及びＳＣ−ＦＤＭＡ変調部１１４と接続された報知チャネル復調・復号部１１６を備える点で異なる。
【００９０】
基地局装置２００ｍからの受信信号は、ＯＦＤＭ信号復調部１０２に入力され、復調処理が行われ、上り割り当て許可信号送信用制御信号は上り割り当て許可信号復調・復号部１０４に入力され、報知チャネルは報知チャネル復調・復号部１１６に入力され、上り割り当て許可信号送信用制御信号及び報知チャネル以外の制御信号、データ信号は、その他の制御信号、データ信号の復調・復号部１０６に入力される。
【００９１】
報知チャネル復調・復号部１１６は、入力された報知チャネルの復調・復号処理を行い、割り当てられたリソースユニットの割り当て情報をＳＣ−ＦＤＭＡ変調部１１４に入力する。
【００９２】
上述した実施例においては、図１３に示すように、周波数ホッピングが適用されるユーザ装置はシステム帯域の両端の周波数帯域が割り当てられ、システム帯域の両端の周波数帯域以外の周波数帯域にはローカライズドＦＤＭＡが適用されるユーザ装置に割り当てられる場合について説明したが、図１４に示すように、周波数ホッピングが適用されるユーザ装置にシステム帯域の両端の周波数帯域だけではなく、システム帯域の両端の周波数帯域以外の周波数帯域も割り当てるようにしてもよい。このようにすることにより、周波数ホッピングが適用されるユーザ装置数が多い場合でも、周波数領域のスケジューリングの効果を得ることができる。
【００９３】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る基地局装置は、上りリンクにおいてＦＤＭＡ、例えばＳＣ−ＦＤＭＡ方式を用いる全てのシステムにおいて適用することが可能である。
【００９４】
以上の実施例を含む実施形態に関し、更に、以下の項目を開示する。
【００９５】
（１）シングルキャリア方式により上りリンクの信号を送信するユーザ装置と通信を行う基地局装置であって：
ユーザ装置からの電波の伝搬情報及び該ユーザ装置の送信するデータのトラフィックタイプに基づいて、該ユーザ装置に周波数ホッピングを適用するか否かを決定する周波数ホッピング決定手段；
ユーザ装置の上りリンクチャネルの受信状態に基づいて、周波数を割り当てるスケジューラ；
スケジューリングの結果、決定されたリソースユニットの割り当て情報を通知する通知手段；
を備え、
前記スケジューラは、前記周波数ホッピング決定手段において、周波数ホッピングを適用すると判断された場合、１リソースユニットを単位として、スロット毎に異なる帯域のリソースユニットを割り当てることを特徴とする基地局装置。
【００９６】
（２）（１）に記載の基地局装置において：
前記ユーザ装置からの電波の伝搬情報には、ユーザ装置の移動速度が含まれ、
前記周波数ホッピング決定手段は、該ユーザ装置の移動速度が所定の閾値以上である場合に、周波数ホッピングを適用すると決定することを特徴とする基地局装置。
【００９７】
（３）（１）又は（２）に記載の基地局装置において：
１サブフレームおける時間方向において、前半のスロットに対応する前半のリソースユニットと後半のスロットに対応する後半のリソースユニットとが対応付けられ、
前記通知手段は、前半のリソースユニットを示す情報を通知することを特徴とする基地局装置。
【００９８】
（４）（３）に記載の基地局装置において：
前記後半のリソースユニットは、前記前半のリソースユニットを、周波数方向に一定数シフトしたリソースユニットであることを特徴とする基地局装置。
【００９９】
（５）（３）に記載の基地局装置において：
一方のリソースユニットから、周波数方向に、該リソースユニットを識別するためのインデックスが付され、
前記後半のリソースユニットは、（リソースユニットの最大インデックス）−（前半のリソースユニットのインデックス）に対応するリソースユニットであることを特徴とする基地局装置。
【０１００】
（６）（３）に記載の基地局装置において：
複数のリソースユニットにより、リソースユニットブロックが構成され、
前記後半のリソースユニットを含むリソースユニットブロックは、前記前半のリソースユニットを含むリソースユニットブロックを、周波数方向に一定数シフトしたリソースユニットブロックであることを特徴とする基地局装置。
【０１０１】
（７）（６）に記載の基地局装置において：
リソースユニットブロックに含まれるリソースユニットに対し、その一方から、周波数方向に、該リソースユニットを識別するためのインデックスが付され、
前記後半のリソースユニットは、（リソースユニットブロックにおけるリソースユニットの最大インデックス）＋１−（リソースユニットブロックにおける前半のリソースユニットのインデックス）に対応するリソースユニットであることを特徴とする基地局装置。
【０１０２】
（８）（１）ないし（７）のいずれか１項に記載の基地局装置において：
ユーザ装置に周波数ホッピングを適用することを通知する周波数ホッピング通知手段；
を備えることを特徴とする基地局装置。
【０１０３】
説明の便宜上、発明の理解を促すため具体的な数値例を用いて説明されるが、特に断りのない限り、それらの数値は単なる一例に過ぎず適切な如何なる値が使用されてよい。
【０１０４】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１０５】
５０ｋ（５０１、５０２、・・・、５０ｋ）  セル
１００ｎ（１００１、１００２、１００３、・・・、１００ｎ）  ユーザ装置
１０２  ＯＦＤＭ信号復調部
１０４  上り割り当て許可信号復調・復号部
１０６  その他の制御信号、データ信号の復調・復号部
１０８  復調用ＲＳ生成部
１１０  チャネル符号化部
１１２  データ変調部
１１４  ＳＣ−ＦＤＭＡ変調部
１１６  報知チャネル復調・復号部
２００ｍ（２００１、２００２、２００３、・・・、２００ｍ）  基地局装置
２０２  ＯＦＤＭ信号生成部
２０４  上り割り当て許可信号送信用制御信号生成部
２０６  復調用ＲＳ生成部
２０８  同期検出・チャネル推定部
２１０  チャネル復号部
２１２  コヒーレント検波部
２１４  各ユーザの上りリンクチャネル状態推定部
２１６  スケジューラ
２１８  周波数ホッピング決定部
２２０  報知チャネル生成部
４００  コアネットワーク
５００  物理上りリンク共有チャネル
５１０  上りリンク制御チャネル
５２０  上りリンク制御チャネル
【図１】
2011188505.tif 000003
【図２】
2011188505.tif 000004
【図３】
2011188505.tif 000005
【図４】
2011188505.tif 000006
【図５】
2011188505.tif 000007
【図６】
2011188505.tif 000008
【図７】
2011188505.tif 000009
【図８】
2011188505.tif 000010
【図９】
2011188505.tif 000011
【図１０】
2011188505.tif 000012
【図１１】
2011188505.tif 000013
【図１２】
2011188505.tif 000014
【図１３】
2011188505.tif 000015
【図１４】
2011188505.tif 000016